(57)【要約】【課題】送迎位置と実際の住所が異なる場合であっても正確な送迎位置を容易に登録、更新及び閲覧できる送迎ポイント登録システム、送迎ポイント登録サーバ、及び送迎ポイント登録方法を提供する。【解決手段】通信ネットワーク７に接続され、被介護者の住所及び送迎位置の情報を記憶する被介護者データベース４を備えたサーバ８と、通信ネットワーク７を介してサーバ８と通信することにより、被介護者の住所及び送迎位置の情報を登録、更新及び閲覧する移動通信端末５とを備える。【選択図】図１
2006072511.tif 000002
【特許請求の範囲】
【請求項１】
通信ネットワークに接続され、被介護者の住所及び送迎位置の情報を記憶する被介護者データベースを備えたサーバと、
前記通信ネットワークを介して前記サーバと通信することにより、前記被介護者の住所及び送迎位置の情報を登録、更新及び閲覧する移動通信端末
とを備えることを特徴とする送迎ポイント登録システム。
【請求項２】
前記移動通信端末は、汎地球測位システムを搭載し、現在位置の情報を前記サーバへ送信し、
前記サーバは、前記現在位置の情報に基づいて、前記被介護者データベースに記憶されている前記被介護者の送迎位置を更新する、或いは前記被介護者データベースに前記被介護者の送迎位置を新たに登録させる制御部を更に有することを特徴とする請求項１記載の送迎ポイント登録システム。
【請求項３】
前記制御部は、
前記被介護者データベースに記憶されている前記被介護者の住所又は送迎位置の文字列情報を緯度経度情報に変換する住所文字列変換エンジンと、
前記被介護者の送迎位置の精度レベルを更新する位置精度レベル更新エンジン
とを有することを特徴とする請求項２記載の送迎ポイント登録システム。
【請求項４】
前記制御部は、前記移動通信端末が送信する前記現在位置から一定の範囲内に前記住所又は送迎場所が記憶されている前記被介護者を抽出する被介護者抽出エンジンを更に有することを特徴とする請求項３記載の送迎ポイント登録システム。
【請求項５】
前記被介護者抽出エンジンは、前記送迎位置の精度レベルごとに異なる前記範囲から前記被介護者を抽出することを特徴とする請求項４記載の送迎ポイント登録システム。
【請求項６】
前記制御部は、
前記被介護者抽出エンジンが抽出した前記被介護者を、前記現在位置から前記住所又は送迎場所までの距離ごと及び前記送迎位置の精度レベルごとに並べ替える表示生成部と、
並べ替えた前記被介護者の情報を前記移動通信端末へ送信するネットワーク部とを更に有し、
前記移動通信端末は、前記被介護者の情報を受信して表示する表示画面を有することを特徴とする請求項４記載の送迎ポイント登録システム。
【請求項７】
前記移動通信端末は、前記表示画面に表示された前記被介護者の中から特定の被介護者を選択する手段を更に有し、選択された前記特定の被介護者の情報を前記サーバへ送信することを特徴とする請求項６記載の送迎ポイント登録システム。
【請求項８】
前記制御部は、前記移動通信端末によって選択され送信された前記特定の被介護者の送迎位置を、前記移動通信端末が送信した現在位置に書き換え、前記特定の被介護者の送迎位置の精度レベルを、前記文字列情報から変換した場合のレベルより高いレベルに書き換え、前記被介護者データベースに登録することを特徴とする請求項７記載の送迎ポイント登録システム。
【請求項９】
通信ネットワークに接続された送迎ポイント登録サーバであって、
被介護者の住所及び送迎位置の情報を記憶する被介護者データベースと、
前記通信ネットワークを介して移動通信端末と通信することにより、前記被介護者の住所及び送迎位置の情報を登録及び更新する制御部
とを有することを特徴とする送迎ポイント登録サーバ。
【請求項１０】
前記制御部は、汎地球測位システムを搭載した前記移動通信端末が送信する現在位置の情報を受信するネットワーク部を有し、前記現在位置の情報に基づいて、前記被介護者データベースに記憶されている前記被介護者の送迎位置を更新する、或いは前記被介護者データベースに前記被介護者の送迎位置を新たに登録させることを特徴とする請求項９記載の送迎ポイント登録サーバ。
【請求項１１】
前記制御部は、
前記被介護者データベースに記憶されている前記被介護者の住所又は送迎位置の文字列情報を緯度経度情報に変換する住所文字列変換エンジンと、
前記被介護者の送迎位置の精度レベルを更新する位置精度レベル更新エンジン
とを更に有することを特徴とする請求項１０記載の送迎ポイント登録サーバ。
【請求項１２】
前記制御部は、前記移動通信端末が送信する前記現在位置から一定の範囲内に前記住所又は送迎位置が記憶されている前記被介護者を抽出する被介護者抽出エンジンを更に有することを特徴とする請求項１１記載の送迎ポイント登録サーバ。
【請求項１３】
汎地球測位システムを搭載した移動通信端末が、現在位置の情報を、被介護者の住所及び送迎位置の情報を記憶する被介護者データベースを備えたサーバへ送信し、
前記サーバが、前記現在位置の情報に基づいて、前記被介護者データベースに記憶されている前記被介護者の送迎位置を更新する、或いは前記被介護者データベースに前記被介護者の送迎位置を新たに登録する
ことを特徴とする送迎ポイント登録方法。
【請求項１４】
前記現在位置の情報に基づいて、前記被介護者データベースに記憶されている前記被介護者の送迎位置を更新する、或いは前記被介護者データベースに前記被介護者の送迎位置を新たに登録することは、
前記サーバが、前記移動通信端末が送信する前記現在位置から一定の範囲内に前記住所又は送迎場所が記憶されている前記被介護者を抽出し、抽出した前記被介護者の情報を前記移動通信端末へ送信し、
前記移動通信端末を用いて、受信した前記被介護者の中から特定の被介護者を選択し、選択した前記特定の被介護者の情報を前記サーバへ送信し、
前記サーバが、受信した前記特定の被介護者の送迎位置を、前記移動通信端末が送信した前記現在位置に書き換え、前記被介護者データベースに登録する
ことを特徴とする請求項１３記載の送迎ポイント登録方法。
【発明の詳細な説明】
【技術分野】
【０００１】
本発明は送迎ポイント登録システム、送迎ポイント登録サーバ、及び送迎ポイント登録方法に関し、特に、通信ネットワークを介して介護サービスを受ける被介護者の送迎位置を登録する技術に関する。
【背景技術】
【０００２】
近年、高齢者人口の増加に伴い、介護を必要とする高齢者の数が増加している。この高齢化社会に制度的に対応すべく介護福祉制度が施行されている。しかし、介護福祉制度はまだ施行後間もないこともあり、介護サービス事業者は被介護者が十分満足する介護サービスを効率良く提供できていないのが現状である。現在、介護サービスを効率良く行う為に広範な観点から検討が成されている（例えば、特許文献１を参照）。
【０００３】
特許文献１に開示された介護情報提供方法では、要介護者（被介護者）に関する情報、要介護者を担当するケアマネージャに関する情報、各サービス提供事業者に関する情報、及び介護支援管理者に関する情報をデータベースに格納して一元管理し、例えば、介護支援管理者から検索要求があったときに、必要な情報をデータベースから読み出して介護支援管理者に提供し得るようにしている。
【０００４】
また、被介護者がサービス提供事業者の施設（以下、介護施設と記す）に出向いて介護サービスを受ける場合に、被介護者の自宅と介護施設の間の送迎をサービス提供事業者が行なっている。このような送迎サービスを行なう場合には、介護施設の担当者が一度被介護者の自宅を訪問し、送迎位置を決定する必要がある。これは現在、紙の地図をコピーしたものにペンで印をつけ、それを送迎担当者が見て送迎サービするといった方法で行っているのが実態である。複数の被介護者を送迎サービスする場合には、各被介護者の自宅を巡回して送迎することが効率的であり、効率的な巡回ルートを計算するシステムも提案されている。（例えば、特許文献２を参照）
【特許文献１】特開２００２−９２１７１号公報
【特許文献２】特開２００４−４０１５号公報
【発明の開示】
【発明が解決しようとする課題】
【０００５】
被介護者の送迎サービスを行なうための巡回ルートを計算するためには、被介護者を乗降させる場所（以下、送迎場所と記す）の位置情報を巡回ルート計算システムに入力する必要がある。データベースに登録された被介護者に関する情報の中から、各被介護者の自宅の住所を読み出して送迎場所の位置情報として利用することも考えられる。
【０００６】
しかしながら、送迎車両が大きくて被介護者の自宅まで進入できない場合や車椅子を利用している被介護者を送迎車両に乗降させるため設備（リフタなど）を動かすための広い場所を送迎場所にする必要がある場合など様々な条件により、送迎場所を被介護者の自宅とを一致させられない場合がある。このため、単純に各被介護者の自宅の住所を利用できず、被介護者の送迎場所の位置情報を巡回ルート計算システムに入力するという煩雑な操作が必要になるという問題がある。
【課題を解決するための手段】
【０００７】
本発明の第１の特徴は、通信ネットワークに接続され、被介護者の住所及び送迎位置の情報を記憶する被介護者データベースを備えたサーバと、通信ネットワークを介してサーバと通信することにより、被介護者の住所及び送迎位置の情報を登録、更新及び閲覧する移動通信端末とを備える送迎ポイント登録システムであることを要旨とする。
【０００８】
本発明の第２の特徴は、通信ネットワークに接続された送迎ポイント登録サーバであって、被介護者の住所及び送迎位置の情報を記憶する被介護者データベースと、通信ネットワークを介して移動通信端末と通信することにより、被介護者の住所及び送迎位置の情報を登録及び更新する制御部とを有することを要旨とする。
【０００９】
本発明の第３の特徴は、汎地球測位システムを搭載した移動通信端末が、現在位置の情報を、被介護者の住所及び送迎位置の情報を記憶する被介護者データベースを備えたサーバへ送信し、サーバが、現在位置の情報に基づいて、被介護者データベースに記憶されている被介護者の送迎位置を更新する、或いは被介護者データベースに被介護者の送迎位置を新たに登録する送迎ポイント登録方法であることを要旨とする。
【発明の効果】
【００１０】
本発明によれば、送迎位置と実際の住所が異なる場合であっても正確な送迎位置を容易に登録、更新及び閲覧できる送迎ポイント登録システム、送迎ポイント登録サーバ、及び送迎ポイント登録方法を提供することが出来る。
【発明を実施するための最良の形態】
【００１１】
以下図面を参照して、本発明の実施の形態を説明する。図面の記載において同一あるいは類似の部分には同一あるいは類似な符号を付している。
【００１２】
図１（ａ）に示すように、本発明の実施の形態に係わる送迎ポイント登録システムは、インターネット７を含む通信ネットワークに接続されたサーバ８と、インターネット７を介してサーバ８と通信する移動通信端末（以後、「携帯端末」５と呼ぶ）及び介護施設端末６とを備える。サーバ８と携帯端末５及び介護施設端末６との間で各種データの送受信が可能である。
【００１３】
携帯端末５は、汎地球測位システム（Global Positioning System：ＧＰＳ）を搭載し、現在位置の情報をサーバ８へ送信することができる。サーバ８は、被介護者の住所及び送迎位置の情報を記憶する被介護者データベース４と、被介護者の住所及び送迎位置の周辺の地図情報を記憶する地図情報データベース３と、介護施設の住所を含む介護施設に関する情報を記憶する介護施設データベース２と、携帯端末５から送信される携帯端末５の現在位置の情報に基づいて、被介護者データベース４に記憶されている被介護者の送迎位置を更新する、或いは被介護者データベース４に被介護者の送迎位置を新たに登録させる制御部１とを備える。制御部１は、受信する携帯端末５の現在位置を被介護者の送迎位置として更新或いは新たな登録する。このように、携帯端末５を用いて、インターネット７を介してサーバ８と通信することにより、被介護者の住所及び送迎位置の情報を登録、更新及び閲覧することができる。なお、介護施設端末６は被介護者に対して介護サービスを提供する介護施設が所有している。
【００１４】
ここでは、被介護者データベース４、地図情報データベース３、及び介護施設データベース２は、サーバ８内に配置されている場合について説明するが、これらの各種データベース２〜４はサーバ８外に配置されてサーバ８に対して接続されていても構わない。また、ＧＰＳを搭載した移動通信端末として携帯端末５を例に取り説明するが、ＧＰＳを搭載した携帯電話のような専用端末のみでなく、ＧＰＳユニットを装着したモバイルＰＣや車載機等であっても構わない。
【００１５】
図１（ｂ）に示すように、図１（ａ）のサーバ８は、インターネット７に接続された制御部１と、制御部１に接続された介護施設データベース２、地図情報データベース３、及び被介護者データベース４とを備える。
【００１６】
制御部１は、被介護者データベース４に記憶されている被介護者の住所又は送迎位置の文字列情報を緯度経度情報に変換する住所文字列変換エンジン１３と、被介護者の送迎位置の精度レベルを更新する位置精度レベル更新エンジン１５と、携帯端末５が送信する現在位置から一定の範囲内に住所又は送迎場所が記憶されている被介護者を抽出する被介護者抽出エンジン１４と、被介護者抽出エンジン１４が抽出した被介護者を、現在位置から住所又は送迎場所までの距離ごと及び送迎位置の精度レベルごとに並べ替える表示生成部１２と、並べ替えた被介護者の情報を携帯端末５へ送信するネットワーク部１１とを有する。
【００１７】
新しい被介護者が介護施設に入所した場合、図１（ａ）の介護施設端末６を用いて介護施設の担当者は新しい被介護者の基本情報をサーバ８に対して送信する。また、既存の被介護者の住所データ等に変更があった場合も、変更される被介護者の基本情報がサーバ８に対して送信される。介護施設の担当者が住所データの入力または変更を行う際の被介護者の基本情報の表示例を図２に示す。被介護者の基本情報には、被介護者の氏名、性別、介護レベル、住所、希望するサービス種類などの情報が含まれる。
【００１８】
サーバ８のネットワーク部１１は被介護者の基本情報の入力又は変更を受信し、住所文字列変換エンジン１３は、地図情報データベース３のデータを参照し、入力された住所文字列を緯度経度に変換し、その位置情報を被介護者データベース４に登録する。このとき、被介護者の送迎位置の精度レベルを「街区レベル」に設定する。住所文字列変換エンジン１３は、入力された住所文字列を地図情報データベース３で前方一致検索を行い、緯度経度情報に変換する。したがって、必ずしも実際の送迎ポイントと住所とは一致するとは限らない。この場合、送迎位置の精度レベルを「街区レベル」に設定する。
【００１９】
通所介護では介護サービスの開始時に、送迎位置や自宅環境の確認のため、ケアマネージャや介護施設の担当者が一度、被介護者宅を訪問する場合が多い。被介護者宅を訪問する時又は第１回目の送迎時に、介護施設の担当者はＧＰＳを搭載した携帯端末５を持参し、これにより簡単に位置情報の修正を行う。担当者はまず、実際の送迎位置から携帯端末５を用いてサーバ８にアクセスする。このとき、携帯端末５の現在位置の情報及び端末情報を、サーバ８へ送信する。この際の携帯端末５の画面表示例を図３に示す。携帯端末５の表示画面１６には、現在位置の情報をサーバ８へ送信し、携帯端末５が送信する現在位置から一定の範囲内に住所又は送迎場所が記憶されている被介護者をサーバ８に対して要求する確認画面が表示される。
【００２０】
サーバ８が図３の確認画面から送信される信号を受信すると、被介護者抽出エンジン１４は、認証された携帯端末５を使用している介護施設の顧客である被介護者のうち、携帯端末５が送信する現在位置から一定の範囲内に住所又は送迎場所が記憶されている被介護者を抽出する。被介護者抽出エンジン１４は、送迎位置の精度レベルごとに異なる範囲から被介護者を抽出する。例えば図４に示すように、携帯端末５が送信する現在位置１９から例えば１００ｍ四方の範囲内に送迎位置が登録され、且つ送迎位置の精度レベルが「詳細レベル１７」に設定されている被介護者を抽出する。また、携帯端末５が送信する現在位置１９から例えば５００ｍ四方の範囲内に住所が登録され、且つ送迎位置の精度レベルが「街区レベル１８」に設定されている被介護者を抽出する。表示生成部１２は、被介護者抽出エンジン１４が抽出した被介護者を、現在位置から住所又は送迎場所までの距離ごと及び送迎位置の精度レベルごとに並べ替える。表示生成部１２が並び替える順は、送迎位置の精度レベルが「街区レベル１８」のもので、送信された位置情報から近い順に並べ替える。そして、ネットワーク部１１は、並べ替えた被介護者の情報を携帯端末５へ送信する。
【００２１】
図５に示すように、携帯端末５の表示画面１６には、並べ替えた被介護者のリストが表示される。黒丸印で示されている被介護者は、被介護者データベース４に、送迎位置の精度レベルが「街区レベル」で登録され、図４の「街区レベル」の範囲内に位置情報が登録されている被介護者が現在位置から近い順番に示されている。また、図５の携帯端末５の表示画面１６に白丸印で示されている被介護者は、被介護者データベース４に、送迎位置の精度レベルが「詳細レベル」で登録され、図４の「詳細レベル」の範囲内に位置情報が登録されている被介護者が現在位置から近い順番に示されている。
【００２２】
携帯端末５は、図５の被介護者のリストから特定の被介護者を選択する手段を有する。携帯端末５を使用する担当者は、図５の画面表示された内容から、現在位置を送迎位置に設定したい特定の被介護者を選択し、これをサーバ８に送信する。サーバ８は、この選択結果を受け、選択された特定の被介護者の基本情報を携帯端末５の表示画面１６上に表示する。このときの画面表示例を図６に示す。
【００２３】
携帯端末５を使用する担当者は図６の基本情報を確認し、この被介護者で正しければ確認ボタンを押す等によってその旨を示す信号をサーバ８へ送信する。これに対して、サーバ８は、携帯端末５によって選択され送信された特定の被介護者の送迎位置を、携帯端末５が送信した現在位置に書き換え、位置精度レベル更新エンジン１５は、特定の被介護者の送迎位置の精度レベルを、文字列情報から変換した場合のレベルより高いレベル、即ち「詳細レベル」に書き換え、被介護者データベース４に登録する。
【００２４】
次に、図７を参照して、図１（ａ）及び図１（ｂ）に示した送迎ポイント登録システムを用いた送迎ポイント登録方法について説明する。
【００２５】
（イ）先ず、Ｓ０１段階において、ＧＰＳを搭載した携帯端末５から現在位置の情報が送信される。Ｓ０２段階において、サーバ８は、携帯端末５を使用する介護施設について端末ＩＤの認証を行う。端末ＩＤの認証が取れた場合（Ｓ０２段階においてＹＥＳ）、Ｓ０３段階に進む。
【００２６】
（ロ）Ｓ０３段階において、被介護者抽出エンジン１４は、被介護者データベース４から、例えば、携帯端末５が送信する現在位置を中心とした周囲１ｋｍ四方に送迎ポイントが設定されており、送迎位置の精度レベルが「街区レベル」に設定されている被介護者を抽出する。Ｓ０４段階において、表示生成部１２は、これら抽出した被介護者を現在位置から近い順に並べ替える。
【００２７】
（ハ）Ｓ０５段階において、被介護者抽出エンジン１４は、被介護者データベース４から、例えば、携帯端末５が送信する現在位置を中心とした周囲３００ｍ四方に送迎ポイントが設定されており、送迎位置の精度レベルが「詳細レベル」に設定されている被介護者を抽出する。Ｓ０６段階において、表示生成部１２は、これら抽出した被介護者を現在位置から近い順に並べ替え、「街区レベル」の検索結果の後ろに追加する。
【００２８】
（ニ）Ｓ０７段階において、表示生成部１２は、並べ替えた被介護者の情報を表示用画面に成型し、ネットワーク部１１は、成型した被介護者の情報を携帯端末５へ送信する。
【００２９】
（ホ）Ｓ０８段階において、介護施設の担当者は、携帯端末５を用いて、受信した被介護者の中から特定の被介護者を選択し、Ｓ０９段階において、選択した特定の被介護者の情報をサーバ８へ送信する。最後に、Ｓ１０段階において、サーバ８が、受信した特定の被介護者の送迎位置を、携帯端末５が送信した現在位置に書き換え、被介護者データベース４に登録する。
【００３０】
以上説明したように、インターネット７に接続されたサーバ８が、被介護者データベース４と、地図情報データベース３と、介護施設データベース２とを備え、インターネット７を介してこれらのデータベース２〜４に記憶された情報を登録、変更或いは閲覧することができるため、インターネット７に接続できる環境さえあれば、時間及び場所を問わずに携帯端末５を用いてサーバ８にアクセスでき、遠隔地から被介護者の情報を登録、変更或いは閲覧することができる。このように、実施の形態に係わる送迎ポイント登録システムによれば、各被介護者の送迎位置情報を自動的に詳細に設定する必要がある場合は必要に応じて簡単に設定することができる。
【００３１】
住所文字列変換エンジン１３が、被介護者データベース４及び介護施設データベース２に登録された住所文字列を緯度経度情報に変換し、被介護者データベース４及び介護施設データベース２に登録するとともに、住所文字列の送迎位置の精度レベルを同様に変換して登録することにより、被介護者の住所文字列を入力するだけである程度の送迎ポイントを自動的に確定することができる。また、送迎位置の精度レベルを同時に設定することによって手動で送迎位置を微調整した被介護者との区別が可能となる。したがって、被介護者の送迎位置及び送迎位置の精度レベルを判断できる。
【００３２】
被介護者抽出エンジン１４がＧＰＳを備えた携帯端末５から送信される現在位置の情報を受信し、受信した現在位置から一定範囲内の位置に登録されている被介護者を抽出することにより、送迎位置の補正を行おうとしている被介護者を自動的に限定して表示することができる。よって、携帯端末５を持った作業者の作業が軽減できる。また、登録された送迎位置の精度レベルごとに抽出する範囲を変更することによって、すでに送迎位置を補正済みの被介護者の表示を減らし、未補正の被介護者を重点的に表示することによって、作業者の選択作業が軽減できる。なお、被介護者抽出エンジン１４が抽出した被介護者を、現在位置からの距離及び送迎位置の精度レベル順に並べ替え、この結果を携帯端末５に対して送信して携帯端末５の画面１６上に表示させることによっても、同様な作用効果が得られる。
【００３３】
携帯端末５の画面１６上に表示された被介護者の一覧から特定の被介護者を選択し、この選択結果をサーバ８に送信する。特定の被介護者の送迎位置を、携帯端末５が送信してきた現在位置に書き換え、送迎位置の精度レベルを住所文字列から変換した場合のレベルより高いレベル（詳細レベル）に書き換え、被介護者データベース４に登録する。このことにより、まだ送迎位置を未補正の被介護者と区別することができ、次回の作業時に選択作業が軽減できる。
【００３４】
上記のように、本発明は、１つの実施の形態によって記載したが、この開示の一部をなす論述及び図面はこの発明を限定するものであると理解すべきではない。この開示から当業者には様々な代替実施の形態、実施例及び運用技術が明らかとなろう。
【００３５】
例えば、図４及び図７を参照して説明した送迎位置の精度レベル「街区レベル」及び「詳細レベル」の範囲判定距離は一例であり、これらの値に限定されない。さらに複数の３以上の精度レベルを分けることも可能である。また、被介護者の送迎位置を登録する際、すでに登録済みの近隣の被介護者を選択して同じ送迎位置を登録することも可能である。
【００３６】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００３７】
【図１】図１（ａ）は本発明の実施の形態に係わる送迎ポイント登録システムを示すブロック図であり、図１（ｂ）は図１（ａ）のサーバの詳細な構成を示すブロック図である。
【図２】介護施設の担当者が住所データの入力又は変更を行う際の被介護者の基本情報の表示例を示す。
【図３】携帯端末の現在位置の情報をサーバへ送信する際の携帯端末の画面表示例を示す。
【図４】携帯端末の現在位置に対する「街区レベル」及び「詳細レベル」の一例を示す概念図である。
【図５】携帯端末が送信する現在位置から一定の範囲内に住所又は送迎場所が記憶されている被介護者のリストを表示する携帯端末の表示画面の一例を示す。
【図６】図５の被介護者のリストから選択した特定の被介護者の詳細情報の一例を示す確認画面である。
【図７】図１（ａ）及び図１（ｂ）に示した送迎ポイント登録システムの処理動作を示すフローチャートである。
【符号の説明】
【００３８】
１…制御部
２…介護施設データベース
３…地図情報データベース
４…被介護者データベース
５…移動通信端末（携帯端末）
６…介護施設端末
７…通信ネットワーク（インターネット）
８…サーバ
１１…ネットワーク部
１２…表示生成部
１３…住所文字列変換エンジン
１４…被介護者抽出エンジン
１５…位置精度レベル更新エンジン
１６…表示画面
１７…詳細レベル
１８…街区レベル
１９…現在位置
【図１】
2006072511.tif 000003
【図２】
2006072511.tif 000004
【図３】
2006072511.tif 000005
【図４】
2006072511.tif 000006
【図５】
2006072511.tif 000007
【図６】
2006072511.tif 000008
【図７】
2006072511.tif 000009